(57)【要約】【課題】ガン１１を斜めにしても、粉体塗料Ａの流動性が保て、ガン１１からの粉体塗料Ａの息継ぎ現象を起こさず、吐出量の安定した粉体塗装用カップガンを提供しようとするものである。【解決手段】ガン１１の下部と塗料カップ１２の上方の吸引管１３との間に、屈曲自在な屈曲部１７を設け、ガン１１を傾けても屈曲部１７が屈曲してガン１１を水平状態に保つことができるようにして、塗料カップ１２の底面の多孔質板１５が粉体塗料によって覆われ、多孔質板１５の全面から流動エアーが安定的に流入するようにした。【選択図】図１
2008296167.tif 000002
【特許請求の範囲】
【請求項１】
ガンの下部に塗料カップを吊り下げ、この吊り下げた塗料カップ内に吸引管を挿し入れ、ガンから吐出するエアーの吸引力により吸引管から塗料カップ内の粉体塗料を吸引して、ガン先から吐出エアーと共に粉体塗料を吐出する粉体塗装用カップガンにおいて、上記ガンの下部と塗料カップの上方の吸引管との間に、屈曲自在な屈曲部を設けたことを特徴とする粉体塗装用カップガン。
【請求項２】
上記屈曲部をフレキシブルチューブによって形成した請求項１記載の粉体塗装用カップガン。
【請求項３】
上記フレキシブルチューブの周囲に、コイルスプリングからなるチューブサポートを被せた請求項２記載の粉体塗装用カップガン。
【請求項４】
上記屈曲部を、ロータリージョイントによって形成した請求項１記載の粉体塗装用カップガン。
【発明の詳細な説明】
【技術分野】
【０００１】
この発明は、ガンの下部に塗料カップを吊り下げ、この吊り下げた塗料カップ内に吸引管を挿し入れ、ガンから吐出するエアーの吸引力により吸引管から塗料カップ内の粉体塗料を吸引して、ガン先から吐出エアーと共に粉体塗料を吐出する、手持ち式の塗料カップ付き粉体塗装ガンに関するものである。
【背景技術】
【０００２】
粉体塗装は、有機溶剤を含まず環境にやさしい塗装として水性塗装と同様に期待されている。
【０００３】
ところで、小ロットの粉体塗装を行う場合や、粉体塗装のテストピースを作成する場合に、塗料タンクから粉体ホースを介して粉体塗料をガンに供給する通常の粉体塗装装置を用いると、小ロットの色替え毎に、塗料タンクの清掃、粉体ホースの清掃又は交換、ガンの清掃といった色替の手順を頻繁に行なう必要がある。
【０００４】
このため、小ロットの粉体塗装を行う場合や、粉体塗装のテストピースを作成する場合には、ガンの下部に塗料カップを直接吊り下げた手持ち式の塗料カップ付き粉体塗装ガンが使用されることが多い。この塗料カップ付きの粉体塗装ガン、即ち、粉体塗装用カップガンは、粉体ホースがなく、色替えが簡単であるから、小ロットの粉体塗装を行う場合や、粉体塗装のテストピースを作成する場合に使用すると好都合である。
【発明の開示】
【発明が解決しようとする課題】
【０００５】
従来の粉体塗装用カップガンは、図４に示すように、ガン１の下部に塗料カップ２を吊り下げ、この塗料カップ２内に吸引管３を挿し入れ、ガン１にインジェクター４によって吐出エアー６を供給し、ガン１から吐出するエアーの吸引力により吸引管３から塗料カップ２内の粉体塗料Ａを吸引して、ガン先から吐出エアー６と共に粉体塗料を吐出する構造になっている。
【０００６】
上記塗料カップ２の底面は、塗料カップ２内の粉体塗料を流動させる流動エアーを取り入れるために、多孔質板５によって形成されている。上記塗料カップ２の多孔質板５は、円筒形をした塗料カップ２の胴部下面の平坦面の全面に設置されている。
【０００７】
ところで、手持ち式の粉体塗装用カップガンは、被塗装物の裏面を塗装するような場合に、図５に示すように、ガンを斜めにして塗装作業を行うことがある。
【０００８】
ところが、ガンを斜めにすると、塗料カップ２内の粉体塗料Ａはあたかも水のような状態で流動しているため、塗料カップ２の底面の多孔質板５の上面を滑り、ガンの傾斜が大きくなると、図５に示すように、多孔質板５の端の部分に粉体塗料Ａがなく、多孔質板５が露出する部分が生じる。
【０００９】
このように多孔質板５の一部に、粉体塗料Ａが載っていない露出部分が形成されると、この部分からエアーが抵抗なく流入し、粉体塗料Ａが載った部分からはエアーが流入し難くなるため、粉体塗料Ａが流動しなくなり、ガン１からの粉体塗料Ａの吐出が息継ぎ現象を起こしたり、吐出量が不安定になり、塗装にスケが生じたりするという問題があった。
【００１０】
そこで、この発明は、ガンを斜めにしても、粉体塗料の流動性が保て、ガンからの粉体塗料の息継ぎ現象を起こさず、吐出量の安定した粉体塗装用カップガンを提供しようとするものである。
【課題を解決するための手段】
【００１１】
上記の課題を解決するために、この発明は、ガンの下部に塗料カップを吊り下げ、この吊り下げた塗料カップ内に吸引管を挿し入れ、ガンから吐出するエアーの吸引力により吸引管から塗料カップ内の粉体塗料を吸引して、ガン先から吐出エアーと共に粉体塗料を吐出する粉体塗装用カップガンにおいて、上記ガンの下部と塗料カップの上方の吸引管との間に、屈曲自在な屈曲部を設けたのである。
【００１２】
上記のように、上記ガンの下部と塗料カップの上方の吸引管との間に、屈曲自在な屈曲部を設けると、ガンを傾けても、屈曲部が屈曲して塗料カップを水平状態に保つことができる。したがって、ガンを傾けても、塗料カップの底面の多孔質板が粉体塗料によって覆われた状態が維持されるので、多孔質板の端の部分が露出せず、多孔質板全体からエアーが流入し、塗料カップ内の粉体塗料全体が安定した流動状態を保つ。
【００１３】
上記屈曲部としては、フレキシブルチューブあるいはロータリージョイントによって形成することができる。
【００１４】
上記屈曲部をフレキシブルチューブによって形成した場合、フレキシブルチューブが屈曲しすぎて折れると、粉体塗料の通路を遮断するおそれがあるため、フレキシブルチューブの折れを防止するために、フレキシブルチューブの周囲に、コイルスプリングからなるチューブサポートを被せることが好ましい。
【発明の効果】
【００１５】
この発明によれば、以上のように、ガンを傾けても、塗料カップを水平状態に保つことができるので、塗料カップの底面の多孔質板全体から流動エアーが安定的に流入するため、ガンからの粉体塗料の息継ぎ現象を起こさず、安定した吐出量が得られる。
【発明を実施するための最良の形態】
【００１６】
図１は、この発明に係る粉体塗装用カップガンの第１の実施形態を示している。
この発明に係る粉体塗装用カップガンは、図１に示すように、ガン１１の下部に塗料カップ１２を吊り下げ、この吊り下げた塗料カップ１２内に吸引管１３を挿し入れ、ガン１１にインジェクター１４によって吐出エアー１６を供給し、ガン１１から吐出するエアーの吸引力により吸引管１３から塗料カップ１２内の粉体塗料Ａを吸引して、ガン先から吐出エアーと共に粉体塗料を吐出する構造になっている。
【００１７】
上記塗料カップ１２の底面は、塗料カップ１２内の粉体塗料を流動させる流動エアーを取り入れるために、多孔質板１５によって形成されている。上記塗料カップ１２の多孔質板１５は、円筒形を塗料カップ１２の胴部下面の全面に設置されている。
【００１８】
上記ガン１１の下部と、吸引管１３の上方に接続したインジェクター１４との間には、ゴム製のフレキスブルチューブからなる屈曲自在な屈曲部１７を設けており、図１に鎖線で示すように、ガン１１を傾けた際に、屈曲部１７が屈曲して塗料カップ１２が水平状態に保たれるようになっている。上記フレキスブルチューブの具体例としては、１２×２２φのゴムチューブを使用することができる。
【００１９】
ガン１１から吐出するエアーの吸引力により吸引管１３から塗料カップ１２内の粉体塗料Ａが吸引されると、この吸引量に応じて塗料カップ１２の底面の多孔質板１５からエアーが塗料カップ１２内に流入し、この流入エアーにより塗料カップ１２の下部の粉体塗料Ａが流動する。
【００２０】
次に、吸引管１３からの粉体塗料Ａの吸引作用は、粉体塗料の吐出量及び搬送エアーによって、即ち、ガン１１のグリップの下方に設けられたベンチュリー効果によるインジェクター１４により得られる。
【００２１】
次に、図２は、上記屈曲部をフレキシブルチューブによって形成した場合、フレキシブルチューブが屈曲しすぎて折れると、通路を遮断するおそれがあるため、フレキシブルチューブの折れを防止するために、フレキシブルチューブの周囲に、コイルスプリングからなるチューブサポート１８を被せた実施形態を示している。このチューブサポート１８の材質としては、カーボン製、樹脂製、金属製のものを使用することができる。このチューブサポート１８を使用する場合、フレキシブルチューブとしては、比較的腰の弱い、折れ曲がり易いものも使用することができる。
【００２２】
また、図３は、屈曲部１７としてロータリージョイントを使用した例であり、このロータリージョイントは、ガンを傾けた際に、塗料カップ１２の自重により、屈曲する程度の固さのものを使用してもよいが、ガンを傾けた際に、手で屈曲させる固さのものでもよい。
【図面の簡単な説明】
【００２３】
【図１】この発明に係る粉体塗装用カップガンの一実施形態を示す一部切り欠き側面図である。
【図２】この発明に係る粉体塗装用カップガンの他の実施形態を示す一部切り欠き側面図である。
【図３】この発明に係る粉体塗装用カップガンの他の実施形態を示す一部切り欠き側面図である。
【図４】従来の粉体塗装用カップガンを示す一部切り欠き側面図である。
【図５】図４の粉体塗装用カップガンを斜めにした状態を示す一部切り欠き側面図である。
【符号の説明】
【００２４】
１１  ガン
１２  塗料カップガン
１３  吸引管
１４  インジェクター
１５  多孔質板
１６  吐出エアー
１７  屈曲部
１８  チューブサポート
【図１】
2008296167.tif 000003
【図２】
2008296167.tif 000004
【図３】
2008296167.tif 000005
【図４】
2008296167.tif 000006
【図５】
2008296167.tif 000007